(57)【要約】【課題】  組み立てが簡単で、且つ、移動棚を最初から設置しておいても邪魔になることのない収納可能な吊下式の移動棚装置を提供すること。【解決手段】  上端が天井部分に敷設されたレールを転動するランナーに支持され、且つ、荷重が下端のキャスターに負担されて棚が左右に移動する移動棚装置において、前記棚は垂直の支柱とこの垂直の支柱間で支持される棚板とから構成され、前記垂直の支柱の上端に装着されたランナーが天井部分に敷設されたレールを走行するようにしたことを特徴とする。【選択図】        図２
2006334380.tif 000002
【特許請求の範囲】
【請求項１】
上端が天井部分に敷設されたレールを転動するランナーに支持され、且つ、荷重が下端のキャスターに負担されて棚が左右に移動する移動棚装置において、前記棚は垂直の支柱とこの垂直の支柱間で支持される棚板とから構成され、前記垂直の支柱の上端に装着されたランナーが天井部分に敷設されたレールを走行するようにしたことを特徴とする移動棚装置。
【請求項２】
上端が天井部分に敷設されたレールを転動するランナーに支持され、且つ、荷重が下端のキャスターに負担されて棚が左右に移動する移動棚装置において、前記棚はそれぞれ水平の支柱と垂直の支柱並びに垂直の支柱間で支持される棚板とから構成され、前記水平の支柱の端部に装着されたランナーが天井部分に敷設されたレールを走行するようにするとしたことを特徴とする移動棚装置。
【請求項３】
上端が天井部分に敷設されたレールを転動するランナーに支持され、且つ、荷重が下端のキャスターに負担されて棚が左右に移動する移動棚装置において、前記棚はそれぞれ水平の支柱と垂直の支柱並びに垂直の支柱間で支持される棚板とから構成され、前記水平の支柱の端部に装着されたランナーが天井部分に敷設されたレールを走行するようにすると共に、前記水平の支柱を伸縮自在としたことを特徴とする移動棚装置。
【請求項４】
請求項１、２、３記載のランナーは、支柱に対して着脱自在に装着できるようにしたことを特徴とする請求項１、２、３記載の移動棚装置。
【発明の詳細な説明】
【技術分野】
【０００１】  本発明は、吊下式の移動棚装置に関するものである。
【背景技術】
【０００２】
【特許文献１】  特開２０００−１５２８３３号公報
【発明の開示】
【発明が解決しようとする課題】
【０００３】  従来から吊下式の移動棚装置として、特開２０００−１５２８３３号公報に記載される構造のものがある。【０００４】  然しながら、特開２０００−１５２８３３号公報に記載される構造の吊下式の移動棚装置は、上端が天井部分に敷設されたレールを転動するランナーに支持され、且つ、荷重が下端のキャスターに負担されて複数の形状が決まった移動棚が左右に移動できるようにしたものであって、床にレールを敷設しなくても使用できるようにしたものであった。【０００５】  つまり、この移動棚装置は、床にレールを敷設しなくても使用できる移動棚装置を提供することを目的としたもので、広い空間のある場所に設置されることを主眼にしたものであった。【０００６】  しかし、狭い空間の部屋例えば物置や押入に形状が決まった移動棚を最初から設置することは使用しないときには邪魔になり、移動棚自体を取り外す必要があって、却って不便となる場合があるという問題点があった。【０００７】  また、この移動棚装置にあっては、左右方向だけしか移動できないものであって、狭い空間の部屋例えば納戸や押入に形状が決まった移動棚を最初から設置することは移動棚を支持するレールの敷設個所が決まってしまい、取付作業に工夫を要するという問題点があった。
【発明の目的】
【０００８】  本発明の第１の目的は、組み立てが簡単で、且つ、移動棚を最初から設置しておいても邪魔になることのない収納可能な吊下式の移動棚装置を提供することを目的とするものである。
【０００９】  本発明の第２の目的は、組み立てが簡単で、且つ、レールの敷設位置に拘わらず所定個所に移動棚を設置することができる吊下式の移動棚装置を提供することを目的とするものである。
【００１０】  本発明の第３の目的は、組み立てが簡単で、且つ、レールの敷設位置に拘わらず前後左右に移動させることができる吊下式の移動棚装置を提供することを目的とするものである。
【課題を解決するための手段】
【００１１】  本発明の請求項１に係る移動棚装置は、上端が天井部分に敷設されたレールを転動するランナーに支持され、且つ、荷重が下端のキャスターに負担されて棚が左右に移動する移動棚装置において、前記棚は垂直の支柱とこの垂直の支柱間で支持される棚板とから構成され、前記垂直の支柱の上端に装着されたランナーが天井部分に敷設されたレールを走行するようにしたことを特徴とするものである。
【００１２】  本発明の請求項２に係る移動棚装置は、上端が天井部分に敷設されたレールを転動するランナーに支持され、且つ、荷重が下端のキャスターに負担されて棚が左右に移動する移動棚装置において、前記棚はそれぞれ水平の支柱と垂直の支柱並びに垂直の支柱間で支持される棚板とから構成され、前記水平の支柱の端部に装着されたランナーが天井部分に敷設されたレールを走行するようにするとしたことを特徴とするものである。
【００１３】  本発明の請求項３に係る移動棚装置は、上端が天井部分に敷設されたレールを転動するランナーに支持され、且つ、荷重が下端のキャスターに負担されて棚が左右に移動する移動棚装置において、前記棚はそれぞれ水平の支柱と垂直の支柱並びに垂直の支柱間で支持される棚板とから構成され、前記水平の支柱の端部に装着されたランナーが天井部分に敷設されたレールを走行するようにすると共に、前記水平の支柱を伸縮自在としたことを特徴とするものである。
【発明の作用】
【００１４】  請求項１の本発明では、垂直の支柱から棚板を取り外すだけで棚自体を分解することができて不要な場合コンパクトに収納可能となる。
【００１５】  請求項２の本発明では、垂直の支柱から棚板を取り外すだけで棚自体を分解することができて不要な場合コンパクトに収納可能となり、且つ、レールの敷設個所に拘わらず水平の支柱の長さを調節するだけで所望の位置に棚を設置できる。
【００１６】  請求項３の本発明では、垂直の支柱から棚板を取り外すだけで棚自体を分解することができて不要な場合コンパクトに収納可能となり、且つ、レールの敷設個所に拘わらず水平の支柱を伸縮させるだけで所望の位置に棚を設置でき、収納場所も自由に選択できる。
【実施例１】
【００１７】  図１は、請求項１に係る本発明装置の組み立て途中の全体斜視図、図２は、組み立て完了後の全体斜視図、図３は、本発明装置に使用されるランナーを支柱に装着する状態の斜視図、図４は、ランナーの動きを規制するストッパーの平面図、図５は、同底面図、図６は、同ストッパーをレールに取り付けた状態の要部縦断側面図である。【００１８】  図において、１は、移動棚を構成する垂直の支柱で、上下端にはそれぞれランナー２、キャスター３が取り付けられるようになっており、この上下端にそれぞれランナー２、キャスター３が取り付けられる一対の支柱１、１間に棚板４、４を着脱自在に取り付けた移動棚とランナー２、２が転動する天井部分に敷設されたレール５とから本発明の移動棚装置が構成されるようになっている。【００１９】  ランナー２は、スライド式折り戸等で既に使用されている合成樹脂製のランナーであって、このランナーは、ベース２−１とこのベースから上方に延びる軸２−２を介して車輪２−３が取り付けられた構造をしており、ベース２−１の両側には前方に延びる耳片２−１ａ、２−１ａが形成され、図３のように支柱１の上端に固着されたエンドキャップ１−１の横の開口部１−１ａをベース２−１に押し込むことによって耳片２−１ａ、２−１ａに形成された楔状の突起２−１ｂ、２−１ｂがエンドキャップ１−１の側板に設けられた孔１−１ｂに嵌合して取り付けられるようになっており、取り外すときには耳片２−１ａ、２−１ａを指で挟んで窄めることによって突起２−１ｂ、２−１ｂがエンドキャップ１−１の側板の孔から外れ、簡単に支柱１と分離できるようになっている。【００２０】  図中、６は、移動棚が不測に左右移動しては困る場合に移動棚の組み立て後でもレール５に取り付けて使用することができるランナーの動きを規制するためのストッパーで、軟質または半硬質の合成樹脂製の中央が二つ割れした平板状の基板６−１と同基板に形成されたネジ挿通孔に嵌合させたネジ６−２及びこのネジ６−２が螺合する小判形のナット６−３から構成され、移動棚の組み立て後に取り付ける場合は、レール５の下方開口部にナット６−３の幅の狭い方から差し入れて４５°回転させて図６のようにレール５の左右の水平片５−１、５−１に跨るように載せ、下から基板６−１のネジ６−２をナット６−３のネジ孔に螺合させることによってストッパー６をレール５に取り付けるものである。【００２１】  ストッパー６の基板６−１には前記ランナー２の軸２−２が嵌入する丸孔６−１ａ及びこの丸孔６−１ａに連続するランナー２の軸２−２の径より狭い角孔２−２ｂが形成され、ランナー２の軸２−２が入り易いように入口をハ字状に広げた形状となっており、ランナーの動きを規制したいとき即ち移動棚をその個所で固定したいときには、上記作業でレール５に緩く取り付けられたストッパー６を滑らせてランナー２の軸２−２に向かって押し込んでやると、この軸２−２は基板６−１のハ字状に広がった入口部分から角孔２−２ｂに侵入して基板６−１を前後に押し広げながら丸孔６−１ａに嵌入してランナー２とストッパー６が一体化する。【００２２】  この状態で移動棚を固定したい個所に移動させた後、ストッパー６のネジ６−２を締���てやれば基板６−１とナット６−３の間にレール５の左右の水平片５−１、５−１が挟着されてストッパー６がその位置に固定され、必然的にランナー２が固定されて移動棚が固定される。【００２３】  勿論、この場合強い力で引き離してやれば、上述した場合とは逆にランナー２の軸２−２が基板６−１を前後に押し広げながら外れることになるが、移動棚を軽く押す程度ではランナー２の軸２−２とストッパー６の係合は外れることがなく、移動棚は固定状態に保たれるもので、移動棚が不測に左右移動しても特に不都合が生じない場合にはストッパーは不要である。【００２４】  次に、本発明装置による移動棚の組み立て方法並びにその作用を一単位当たりの移動棚について具体的に説明する。【００２５】  先ず、使用される垂直の支柱１の数だけのランナー２の車輪をレール５の水平片５−１、５−１上を転動できるように予めレール５の端部から差し入れておき、このレール５を移動棚の設置個所の天井部分に敷設しておく。【００２６】  勿論、この場合、レール５の端部にランナー２の車輪２−３が下から入れることができる切欠孔を形成しておけば、先にレールを敷設しておいても後から必要数のランナーを装着できるものである。【００２７】  次に、下端にキャスター３を、上端にランナー取付用のエンドキャップ１−１をそれぞれ取り付けた支柱１をランナー２のところまで持っていって前述した方法で図１のように支柱１をランナー２に取り付ける。【００２８】  ランナー２、２に取り付けた支柱１、１の間に棚受金具等を介して棚板４を取り付けることによって移動棚の組み立てが完了する。【００２９】  この組み立てられた移動棚は、荷重がキャスター３、３及びランナー２、２によって負担され、ランナー２、２がレール５内を転動することによりスムーズに左右移動することができるもので、支柱１、１から棚板４を外せばレール端部まで支柱１、１を寄せることができて移動棚が不要なときにはコンパクトに収納することができるものである。【００３０】  尚、本実施例では、移動棚の荷重を床面を転動するキャスターだけでなくレールを転動する車輪付きのランナーで負担させてキャスターの転動を軽やかにすることによって棚の移動を軽くしたものであるが、移動棚の全荷重をキャスターに負担させても特に不都合がない場合には車輪のないスライダー式のランナーであっても、単にガイドピンのようなランナーであってもよいことは勿論である。【００３１】  更に、車輪付きまたはスライダー式のランナーの場合、レールを所定個所に敷設する前にランナーの車輪またはスライダーをレール端部から予め差し入れておかなければならないが、レール端部に車輪またはスライダーを下から入れることができるだけの切欠孔を形成しておけば、レールの敷設後でも装着できて便利であり、始めからランナーを支柱に取り付けておいてもよいものである。
【実施例２】
【００３２】  図７は、請求項２に係る本発明装置の組み立て完了後の全体斜視図、図８は、支柱をレール端部に寄せた状態の全体斜視図である。【００３３】  即ち、図７、図８の実施例では前記垂直の支柱１とランナー２との間に水平の支柱１Ａを介在させた構造で、レール５の敷設個所に拘わらず水平の支柱１Ａの長さを調節するだけで所望の位置に棚を設置できるものであり、その他の構成、作用効果は実施例１と変わることがないので、その記載は省略するが、始めからレールが入口側に敷設されている物置等ではランナーとしてガイドピンのようなものを使用すれば水平の支柱１Ａで棚の設置個所を自在に選択することができ、既存の物置等の既設のレールを利用して移動棚付きの物置に簡単に改良することができる等応用範囲が拡がるものである。【００３４】  また、上記水平の支柱１Ａを机の引出しに使用されるサスペンションレールのように伸縮自在なものとすれば、移動棚を前後左右に移動させることができて便利である。
【発明の効果】
【００３５】  以上述べたように、本発明に係る移動棚装置によれば、上端が天井部分に敷設されたレールを転動するランナーに支持され、且つ、荷重が下端のキャスターに負担されて棚が左右に移動する移動棚装置において、前記棚は一対の垂直の支柱とこの垂直の支柱間で支持される棚板とから構成され、前記垂直の支柱の上端に装着されたランナーが天井部分に敷設されたレールを走行するようにしたものであるから、組み立てが簡単で、且つ、垂直の支柱から棚板を取り外すだけで棚自体を分解することができて不要な場合コンパクトに収納可能となり、また、支柱に対してランナーを着脱自在なものとすることによりランナーをレールに残すだけで支柱や棚板を撤去して別の個所に保管することもできるもので、物置や押入等の狭い空間に設置する移動棚として最適といえるものである。
【００３６】  また、上記垂直の支柱とランナーの間に水平の支柱を介在させることによって、レールの敷設個所に拘わらず水平の支柱の長さを調節するだけで所望の位置に棚を設置できるもので、既存の物置等の既設のレールを利用して移動棚付きの物置等に簡単に改良することができる等応用範囲が拡がるものである。
【００３７】  更に、上記水平の支柱を伸縮自在とすることによって左右移動だけでなく前後にも移動可能となるから、普段は部屋の奥の方に仕舞っておいて使用するときだけ引き出して使用することができる衣服や小物等の収納に便利な移動棚を提供できるものである。
【００３８】  尚、本実施例にあっては、説明を簡単にするために一単位の移動棚について詳述したが、複数の移動棚を設置したい場合はその数に応じて支柱を用意すればよいものであり、また、レールの数を増やせば前後多列の移動棚装置を提供することもでき、多数の文献を整理する書庫等にも利用することもできるものである。
【図面の簡単な説明】
【００３９】
【図１】  請求項１に係る本発明装置の組み立て途中の全体斜視図である。
【図２】  組み立て完了後の全体斜視図である。
【図３】  本発明装置に使用されるランナーを支柱に装着する状態の斜視図である。
【図４】  ランナーの動きを規制するストッパーの平面図である。
【図５】  同底面図である。
【図６】  同ストッパーをレールに取り付けた状態の要部縦断側面図である
【図７】  請求項２に係る本発明装置の組み立て完了後の全体斜視図である。
【図８】  支柱をレール端部に寄せた状態の全体斜視図である。
【符号の説明】
【００４０】１          支柱
２          ランナー
３          キャスター
４          棚板
５          レール
【図１】
2006334380.tif 000003
【図２】
2006334380.tif 000004
【図３】
2006334380.tif 000005
【図４】
2006334380.tif 000006
【図５】
2006334380.tif 000007
【図６】
2006334380.tif 000008
【図７】
2006334380.tif 000009
【図８】
2006334380.tif 000010